(57)【特許請求の範囲】
【請求項１】
最小シンボル周波数が異なる少なくとも２つの形式のトランスポンダに基づいて、送信媒体上で伝送されるディジタル放送番組の集合をインストールする方法であって、第１形式（ＭＣＰＣ）の少なくとも１つのトランスポンダの最小シンボル周波数に対応する量子化間隔を利用して、周波数帯域が変更され（Ｓ１，Ｓ２，Ｓ３）、前記第１形式の前記トランスポンダの各々が信号配信テーブル（ＮＩＴ）に関連付けられ、この周波数帯域に包含される前記第１形式（ＭＣＰＣ）の前記トランスポンダの少なくとも１つを探索するようにし、
_  前記第１形式（ＭＣＰＣ）のトランスポンダが見出されたならば（Ｓ２）、
_  前記信号配信テーブル（ＮＩＴ）内で参照された第１または第２形式（ＳＣＰＣ）の様々なトランスポンダのパラメータが、前記トランスポンダに関連して信号配信テーブル（ＮＩＴ）から抽出され（Ｓ４）、
_  前記信号配信テーブル内で参照された様々なトランスポンダに関連するサービスがインストールされ、および
_  前記第１形式（ＭＣＰＣ）のトランスポンダが前記周波数帯域内に見出されなかったならば、
_  第２形式（ＳＣＰＣ）の少なくとも１つのトランスポンダの最小シンボル周波数に対応する量子化区間を利用して、前記周波数帯域が変更され（Ｓ８）、この周波数帯域に包含される前記第２形式の前記トランスポンダの少なくとも１つを探索するようにし、
_  前記周波数帯域に包含される前記第２形式のトランスポンダの各々に関連するサービスがインストールされる
ことを特徴とする方法。
【請求項２】
請求項１記載の方法において、前記第１形式（ＭＣＰＣ）の前記トランスポンダの前記最小シンボル周波数が、前記第２形式（ＳＣＰＣ）の前記トランスポンダの前記最小シンボル周波数より大きいことを特徴とする方法。
【請求項３】
請求項１又は２の何れか１項に記載の方法において、前記第１および前記第２形式のトランスポンダが、それぞれ、１キャリア複数チャネル形式（ＭＣＰＣ）および１チャネル単一キャリア形式（ＳＣＰＣ）であることを特徴とする方法。
【請求項４】
請求項１ないし３の何れか１項に記載の方法において、セット・トップ・ボックス、ディジタル・テレビジョン、ディジタル映像レコーダまたはディジタルＤＶＤリーダにおいて使用されることを特徴とする方法。
【請求項５】
請求項１ないし４の何れか１項に記載の方法において、トランスポンダが前記周波数帯域を探索する場合に、前記送信媒体に特有の様々なパラメータが、各周波数に対して、それらを結合することにより変化させられることを特徴とする方法。
【請求項６】
少なくとも２つの形式のトランスポンダに基づいて、送信媒体上で伝送されるディジタル放送番組の集合をインストールする装置であって：
_  第１形式（ＭＣＰＣ）の少なくとも１つのトランスポンダの最小シンボル周波数に対応する量子化区間を利用して、周波数帯域に包含される前記第１形式（ＭＣＰＣ）の少なくとも１つのトランスポンダを探索するようにするところの周波数帯域を変更する手段，
_  前記周波数帯域を変更する手段が前記第１形式のトランスポンダを見出した場合に：
_  前記トランスポンダに関連する信号配信テーブル（ＮＩＴ）から、前記信号配信テーブル（ＮＩＴ）において参照される様々なトランスポンダのパラメータを抽出する手段，および
_  前記信号配信テーブルにおいて参照される様々なトランスポンダに関連するサービスをインストールする手段
を選択するよう設計された選択モジュールより成り、前記選択モジュールは、前記周波数帯域を変更する手段が前記周波数帯域内で前記第１形式の（ＭＣＰＣ）のトランスポンダを見出さなかった場合に：
_  第２形式のトランスポンダの最小シンボル周波数に対応する量子化間隔を利用して、この周波数帯域内に包含される前記第２形式の前記トランスポンダの少なくとも１つを探索するようにするところの前記周波数帯域を変更する手段，および
_  前記周波数帯域に包含される前記第２形式の各トランスポンダに関連するサービスをインストールする手段
を選択するよう設計され、当該装置は、請求項１ないし５の何れか１項に記載のディジタル放送番組の集合をインストールする方法を実行するよう形成されることを特徴とする装置。
【請求項７】
プログラムがセット・トップ・ボックスまたはディジタル・テレビジョン受信機で実行される場合に、請求項１ないし５の何れか１項に記載の方法を実行させるプログラム命令コードより成ることを特徴とするコンピュータ・プログラム。
【発明の詳細な説明】
【０００１】
【発明の属する技術分野】
本発明は、一般にディジタル放送番組をインストールする方法および装置に関連する。
【０００２】
本発明は、特に、ＤＶＢ規格（DVB: Digital Video Broadcast）に従う音声および／または映像ディジタル受信システムの技術分野に関連する。
【０００３】
【従来の技術】
ＤＶＢ規格は、音声および映像ＭＰＥＧ−２規格(MPEG: Motion Picture Expert Group)に準拠し、特に、衛星による、ケーブルによる又は地上配信によるＭＰＥＧ−２信号の伝送に関する。
【０００４】
使用されるトランスポンダは、ＭＰＣＰ(Multiple Channel Per Carrier)形式またはＳＣＰＣ(Single Channel Per Carrier)形式のものであり得る。
【０００５】
ＭＣＰＣモードにおける伝送は、トランスポンダの全帯域を使用することによって、複数の音声および／または映像チャネルを単独の周波数で放送することを可能にする。ＳＣＰＳモードでは、各番組が個々の周波数を利用し、トランスポンダは複数の周波数を包含し得る。
【０００６】
番組放送者は様々なトランスポンダを利用して、彼らの番組の集合(bouquet of program)を形成する。特に、コスト的理由により、自身のネットワークを有しない所定の放送者は、彼らの番組の集合を形成するために周波数帯域の一部を借用または購入する。したがって、所定の番組集合は、ＳＣＰＣトランスポンダおよびＭＣＰＣトランスポンダも包含する。例えば、衛星受信の場合は、そこで利用可能な帯域は複数の顧客によって共有され得る。
【０００７】
様々な形式の番組集合のインストレーション(installation)が存在する。ユーザに最も簡潔なインストレーションは、ブラインド(blind)走査インストレーションである。この種のインストレーションは、より一層高度な設定手順について必要なパラメータの信号送信を、ユーザが無視することを許容する。セット・トップ・ボックスまたはディジタル・テレビジョンのような受信装置において、集合をブラインド走査する場合に、インストールのための時間は、必要とされるデータ・レートに反比例する。ＭＣＰＣモードの場合に、データ・レートは、毎秒１５ないし４０Ｍｂａｕｄ（メガ・ボー）のオーダーである。ＳＣＰＣモードにおけるデータ・レートは毎秒２ないし１５Ｍｂａｕｄの範疇にある。
【０００８】
このことは、同一のインストレーション手順が使用される場合に、インストレーションに必要な時間はＭＣＰＣにおける場合よりもＳＣＰＣにおける場合の方が大きくなることを示す。
【０００９】
ブラインド走査におけるＭＣＰＣおよびＳＣＰＣトランスポンダをも利用する集合のインストレーションが非常に長いのは、そのインストレーションに影響する要素(component)の捕捉間隔に対応する増分周波数を利用して、周波数帯域全体を網羅する必要があるためである。混合多重化の観点から、必要な最小シンボル・データ・レートに基づいて計算される後者は、ＳＣＰＣシンボル・データ・レートに対応する。
【００１０】
ＳＣＰＣおよびＭＣＰＣトランスポンダをも利用する様々な番組集合のインストレーションは、したがって、ＭＣＰＣトランスポンダのみより成る番組集合のインストレーションよりも長時間である。
【発明が解決しようとする課題】
本発明は、ＳＣＰＣおよびＭＣＰＣトランスポンダを利用する番組一式のためのインストレーション時間を短縮することを目的とする。
【００１１】
【課題を解決するための手段】
本発明は、その最小シンボル周波数が異なる少なくとも２つの形式のトランスポンダに基づいて、送信媒体上で放送されるディジタル放送番組一式をインストールする方法を提供する。
【００１２】
本発明によれば、第１形式（ＭＣＰＣ）の少なくとも１つのトランスポンダの最小シンボル周波数に対応する量子化間隔を利用して、周波数帯域が変更され（Ｓ１，Ｓ２，Ｓ３）、前記第１形式の前記トランスポンダの各々が信号配信テーブル（ＮＩＴ）に関連付けられ、この周波数帯域に包含される前記第１形式（ＭＣＰＣ）の前記トランスポンダの少なくとも１つを探索するようにし、
_  前記第１形式（ＭＣＰＣ）のトランスポンダが見出されたならば（Ｓ２）、
_  前記信号配信テーブル（ＮＩＴ）内で参照された第１または第２形式（ＳＣＰＣ）の様々なトランスポンダのパラメータが、前記トランスポンダに関連して信号配信テーブル（ＮＩＴ）から抽出され（Ｓ４）、
_  前記信号配信テーブル内で参照された様々なトランスポンダに関連するサービスがインストールされ、および
_  前記第１形式（ＭＣＰＣ）のトランスポンダが前記周波数帯域内に見出されなかったならば、
_  第２形式（ＳＣＰＣ）の少なくとも１つのトランスポンダの最小シンボル周波数に対応する量子化区間を利用して、前記周波数帯域が変更され（Ｓ８）、この周波数帯域に包含される前記第２形式の前記トランスポンダの少なくとも１つを探索するようにし、
_  前記周波数帯域に包含される前記第２形式のトランスポンダの各々に関連するサービスがインストールされる。
【００１３】
したがって、周波数帯域は速やかに網羅され、第１タイプのトランスポンダの検出は、目下のトランスポンダ総ての速やかな検出を可能にする。
【００１４】
更に、ディジタル番組一式をインストールする所定の既知の方法とは異なり、ユーザは、番組一式をインストールするためにトランスポンダのパラメータを知る必要がなく、したがってインストレーションは自動的にユーザの介在なしに速やかに行われる。
【００１５】
また、本発明は、少なくとも２つの形式のトランスポンダに基づいて、送信媒体上で放送されるディジタル放送番組一式をインストールする装置にも関連する。
【００１６】
本発明によれば、その装置は：
_  第１形式（ＭＣＰＣ）の少なくとも１つのトランスポンダの最小シンボル周波数に対応する量子化区間を利用して、この周波数帯域に包含される前記第１形式（ＭＣＰＣ）の少なくとも１つのトランスポンダを探索するようにするところの周波数帯域を変更する手段，
_  前記周波数帯域を変更する手段が前記第１形式のトランスポンダを見出した場合に：
_  前記トランスポンダに関連する信号配信テーブル（ＮＩＴ）から、前記信号配信テーブル（ＮＩＴ）において参照される様々なトランスポンダのパラメータを抽出する手段，および
_  前記信号配信テーブルにおいて参照される様々なトランスポンダに関連するサービスをインストールする手段
を選択するよう設計された選択モジュールより成り、前記選択モジュールは、前記周波数帯域を変更する手段が前記周波数帯域内で前記第１形式の（ＭＣＰＣ）のトランスポンダを見出さなかった場合に：
_  第２形式のトランスポンダの最小シンボル周波数に対応する量子化間隔を利用して、この周波数帯域内に包含される前記第２形式の前記トランスポンダの少なくとも１つを探索するようにするところの前記周波数帯域を変更する手段，および
_  前記周波数帯域に包含される前記第２形式の各トランスポンダに関連するサービスをインストールする手段
を選択するよう設計され、当該装置は、本発明によるディジタル放送番組一式をインストールする方法を実行するよう形成されることを特徴とする装置。
【００１７】
また、本発明は、プログラムがセット・トップ・ボックスまたはディジタル・テレビジョンで実行される場合に、本発明の実施形態の１つによる方法を実行させるプログラム・コード命令より成るコンピュータ・プログラム・プロダクトにも関連する。
【００１８】
「コンピュータ・プログラム・プロダクト(product)」なる用語は、コンピュータ・プログラムの任意の媒体を意味し、例えばカセット、ディスクまたはディスケットのような記録媒体だけでなく、プログラムを搬送する信号をも包含する。
【００１９】
添付図面を参照しながら、非限定的な例による衛星放送に基づく実施例の説明によって、本発明はより一層理解され、他の特徴および利点が明白になるであろう。
【００２０】
【発明の実施の形態】
ＦｓｔａｔおよびＦｓｔｏｐの間にある周波数帯域は、ＳＣＰＣ形式のトランスポンダのシンボル・データ・レートに対応するところの量子化区間を利用することによって網羅され、その周波数帯域内のＳＣＰＣ形式の及びＭＣＰＣ形式のトランスポンダ総てを見出すようにする。トランスポンダが検出されインストールされると、見出されたチャネルの幅に対応するオフセットによって、周波数は自動的に増分される。走査時間を改善するようにこれは実行される。いったんこの調整が実行されると、必要な最小データ・レートに対応するトラバース(traversal)の基本間隔(elementary interval)と共にリスタートする。
【００２１】
中間衛星帯域(ISB: Intermediate Satellite Band)の場合には：
Ｆｓｔａｔ＝９５０ＭＨｚ，
Ｆｓｔｏｐ＝２１５０ＭＨｚである。
周波数帯域内に存在する総てのトランスポンダについて探索するために、番組集合の走査形式インストレーションの場合には、ディジタル・テレビジョンまたはセット・トップ・ボックスは周波数帯域を横断し(traverse)、総てのトランスポンダを探索するようにする。走査形式インストレーションは、ユーザが特定の信号送信を無視することを許容する。番組集合がＳＣＰＣ形式およびＭＣＰＣ形式のトランスポンダより成る場合に、番組集合のインストレーションは、周波数間隔の微細な走査を必要とし、ＳＣＰＣ形式のトランスポンダを検出することを可能にする。区間を走査する周波数間隔は、従って、必要な最低シンボル・データ・レートにおよび最小のＳＣＰＣデータ・レートに対応する必要がある。
【００２２】
３Ｍｂａｕｄおよび上述したボー（９５０ＭＨｚ−２１５０ＭＨｚ）のＳＣＰＣシンボル・データ・レートの場合に、総てのＳＣＰＣトランスポンダを検出するためには８０００区間を使用する必要がある一方、受信成分の所与の形式に対して３０ＭｂａｕｄのＭＣＰＣシンボル・データ・レートの場合には８００区間を使用することを要する。
【００２３】
更に、インストレーション時間は、様々な受信段の捕捉に関する待ち時間をも含む。これらの待ち時間も同様に、必要なデータ・レートに反比例する。したがって、これらは、ＭＣＰＣおよびＳＣＰＣインストレーションの間で必要な時間の相違を際立たせる。
【００２４】
従って留意すべきことは、ＳＣＰＣおよびＭＣＰＣ形式のトランスポンダより成る番組集合の全トランスポンダの探索を実行することは、非常に長くかかり得ることである。任意のおよび同一のディジタル・テレビジョン受信装置に関し、本願発明者が留意したことは、ＭＣＰＣ形式のトランスポンダのみから成る番組集合のインストレーションは約２分間を要したが、ＳＣＰＣおよびＭＣＰＣ形式の両者のトランスポンダより成る番組集合のインストレーションは約２時間もかかったことである。
【００２５】
図２は、本発明による周波数帯域の横断を表現する。
【００２６】
周波数帯域の走査は、ＭＣＰＣトランスポンダのシンボル・データ・レートに対応する走査区間を利用して行われる。ＭＣＰＣトランスポンダが検出されると、ネットワーク情報テーブル(NIT: Network Information Table)と呼ばれる信号配信テーブルが検索される。この信号配信テーブルは、同一の番組集合内で検出され包含されるトランスポンダに関連するトランスポンダのリストを包含する。信号配信テーブルは、更に、様々なサービスをインストールするのに必要な情報またはパラメータを含む。したがって、トランスポンダが検出されると、それに関連付けられる信号配信テーブルは、インストールされるべき番組集合の他のトランスポンダの周波数に関する情報を提供する。それは、様々な番組をインストールするために、それらの周波数の位置を取得するのに充分であり、これにより、走査形式インストレーションのような場合に周波数帯域全体を走査することを回避する。
【００２７】
集合は一般に少なくとも１つのＭＣＰＣトランスポンダより成り、例えばソフトウエアの更新を実行することを可能にする。この更新が短時間であることを要するならば、高いデータ・レートすなわちＭＣＰＣトランスポンダを必要とする。
【００２８】
図３は、本発明を実現する装置の動作に関するフローチャートを表現する。
【００２９】
ステップＳ１の中で、周波数範囲のブラインド走査が開始される。この走査は、１つ又はそれ以上のデータ・レートに対応するトランスポンダの総てを探索することより成る。様々なトランスポンダを探索するために、他の総てのパラメータが、特に衛星、ケーブルまたは地上形式であり得るところの送信媒体に依存して自動的に変化させられる。各周波数に対して、様々なパラメータが変化し、トランスポンダが検出されるか否かを見出す。ステップＳ２においてトランスポンダが検出されると、ステップＳ４に進む。ＮＩＴと呼ばれる信号配信テーブルが検索される。このテーブルは、番組の集合全体、各トランスポンダ周波数のリストに加えて他の信号パラメータを記述し、集合内の全サービスを検索することを可能にする。実際、これらのパラメータは、ＤＶＢ ＳＩ(Digital Video Broadcast Service Information)規格によって定められたパラメータに対応する。
【００３０】
本発明による装置は、トランスポンダに関連する信号配信テーブル（ＮＩＴ）から、信号配信テーブル（ＮＩＴ）で参照される様々なトランスポンダのパラメータを抽出する手段を選択することを可能にする選択手段と、信号配信テーブルで参照される様々なトランスポンダに関連するサービスをインストールする手段とを有する。
【００３１】
ＮＩＴは、集合の様々なトランスポンダＭＣＰＣ，ＳＣＰＣを見出すことを可能にする。ステップＳ５の中で、信号配信テーブルに存在する様々なトランスポンダが走査され、それらが実際に存在するならば、これら様々なトランスポンダに関連するサービスがインストールされる。ステップＳ６において、集合の全トランスポンダがインストールされた場合には、インストールは終了する。
【００３２】
ＭＣＰＣトランスポンダが検出された場合は、それ及びＮＩＴに記述されたトランスポンダは、インストールされる。それ以後は、基本区間だけではなく検出されたトランスポンダの最高周波数に対応する周波数だけ増分された周波数でリスタートして、基本区間だけ増分されるまで走査が継続され、走査時間を最適化するようにする。
【００３３】
様々なＳＣＰＣトランスポンダのインストールに基づいて、同一のサービスが検出され得る。この場合に、サービスの識別子に関するフィルタ処理（識別）が行われ、何度もインストールすることを回避する。これは、２進形式によって、又はその同一サービスを提供する様々なトランスポンダの間で信号品質を比較することによって行われる。
【００３４】
ステップＳ２の中で、すなわち周波数範囲の第１周波数において、何らのＭＣＰＣトランスポンダが検出されなかったならば、より高い周波数に進む。より高い周波数は、基本周波数Ｆｓｔａｒｔに、ＭＣＰＣトランスポンダのシンボル・データ・レートに基づいて計算された区間だけ増分されたものに相当する。
【００３５】
周波数帯域全体が網羅され、ステップＳ７において何らのＭＣＰＣトランスポンダも見出されなかった場合には、ＳＣＰＣトランスポンダのシンボル・データ・レートに基づいて計算された区間だけ周波数を増分させることによって、周波数範囲を横切る。このトラバースの中では、検出されたＳＣＰＳトランスポンダの総てがインストールされる。
【００３６】
選択手段は、周波数帯域を変更する手段が、その周波数帯域内で第１形式（ＭＣＰＣ）のトランスポンダを発見しなかった場合に、以下の手段を選択するよう設計され、それらは：
_  第２形式のトランスポンダの最小シンボル周波数に対応する量子化区間を利用して、その周波数帯域に含まれる第２形式のトランスポンダの少なくとも１つを探索するようにするところの周波数帯域を変更する手段；および
_  周波数帯域に含まれる第２形式の各トランスポンダに関連するサービスをインストールする手段である。
【００３７】
【図面の簡単な説明】
【図１】図１は、従来技術によって周波数帯域が網羅される様子を表現する。
【図２】図２は、本発明によって周波数帯域が網羅される様子を表現する。
【図３】図３は、本発明を実行するためのフローチャートを表現する。
【符号の説明】
ＭＣＰＣ  １キャリア複数チャネル
ＳＣＰＣ  １キャリア単数チャネル
ＮＩＴ  ネットワーク情報テーブル
【図１】
0004079715.tif 000002
【図２】
0004079715.tif 000003
【図３】
0004079715.tif 000004